(57)【特許請求の範囲】
【請求項１】
入金口に投入された貨幣を１枚ずつ繰込んで正常貨幣か否かを判別し、正常と判別された貨幣についてはその金種を識別し、複数の収納部へ分類収納するとともに、少なくとも一つの収納部から貨幣を繰出して正常に繰出された貨幣のみを出金口へ投出するようにした貨幣入出金機において、
正常貨幣を収納する複数の正常貨幣収納部と、
レジ係員によって確認済みであるにも拘わらず金種を識別できなかった貨幣を収納するリジェクト貨幣収納部と、
通常の入出金処理を行う通常モードと前記正常貨幣収納部へ貨幣を補充する補充モードとを切換えるモード切換え手段と、
前記通常モード時に機能し前記入金口に投入された貨幣のうちの正常貨幣を前記正常貨幣収納部へ収納し、レジ係員によって確認済みであるにも拘わらず金種を識別できなかった貨幣を前記リジェクト貨幣収納部へ収納するよう制御する入金制御部と、
前記補充モード時に機能し前記入金口に投入された貨幣のうちの正常貨幣を前記正常貨幣収納部へ収納し、金種を識別できなかった貨幣を前記出金口へ返却するよう制御する補充制御部と
を具備することを特徴とする貨幣入出金機。
【請求項２】
前記通常モード時に機能し正常貨幣収納部から正常に繰出された貨幣を出金口へ投出し、正常に繰出されなかった貨幣を前記リジェクト貨幣収納部へ収納させる出金制御部を有する請求項１記載の貨幣入出金機。
【発明の詳細な説明】
【０００１】
【発明の属する技術分野】
本発明は貨幣入出金機に係り、特にＰＯＳレジスタ等に接続して使用する硬貨入出金機や紙幣入出金機で貨幣の補充機能を有する貨幣入出金機に関する。
【０００２】
【従来の技術】
従来、ＰＯＳレジスタ等に接続して貨幣の入出金処理を行う機械として例えば特開平６−２７４７４３号公報に示される紙幣入出金機および硬貨入出金機がある。
【０００３】
この紙幣入出金機は、図７に略示断面を示すように、機体２０１に入金紙幣を投入する入金口２０２と、出金紙幣および入金リジェクト紙幣を払い出す出金・リジェクト口２０３と、入金紙幣の金種、真偽等を識別する入金識別部２０４と、出金紙幣の２枚重なり等を判別する出金判別部２０５と、入金紙幣のうち釣銭紙幣となり得る千円・五千円紙幣を収納し、かつ釣銭紙幣として繰出し可能な還流スタッカ２０６１、２０６２と、入金紙幣のうち釣銭紙幣とはなり得ない万円紙幣および還流スタッカ２０６１、２０６２から送り出された千円・五千円紙幣のうち２枚重なり紙幣等と判別された出金リジェクト紙幣を収納する収納スタッカ２０７と、上記各部にわたって紙幣を搬送する搬送手段２０８と、ＰＯＳレジスタ２０９からの指令に基づいて入金または出金処理を行わせる制御部２００とを有するものであり、また硬貨の入出金機についても、出金時における判別手段である出金判別部がないだけで他は紙幣入出金機と同様の構成となっている。
【０００４】
精算処理の手順としては、ＰＯＳレジスタ２０９により購入商品の登録がなされ、購入商品の合計金額が表示部に表示されると、レジ係員がその金額を顧客に伝え、顧客から現金を受取るとその現金が正常なものか否かを確認したうえで顧客から見える箇所に保持させたままＰＯＳレジスタ２０９に受取金額をキー入力する。
【０００５】
これによりＰＯＳレジスタ２０９が購入商品の合計金額とキー入力された受取金額とから釣銭を算出し、釣銭を要する場合には紙幣入出金機および硬貨入出金機に釣銭投出指令が出され、釣銭の出金が行われる。そしてレジ係員がその釣銭を顧客に手渡した時点でその顧客との精算処理が完了し、顧客はレジから立去る。
【０００６】
一方、レジ係員は、顧客から受取って顧客の見える箇所に保持させておいた現金を紙幣と硬貨とに仕分けしてそれぞれの入出金機に投入することにより各入出金機が入金処理を行って終了する。
【０００７】
【発明が解決しようとする課題】
しかるに上記従来の貨幣入出金機では、例えばレジ係員が正常な紙幣であることを確認して受取ったものであっても、紙幣の汚れや疲労度合い、あるいは取込み時の斜行や重なり等によって識別することができずにリジェクト紙幣として出金・リジェクト口へ返却されるので出金・リジェクト口に返却された紙幣をレジ係員が再度入金口へ投入して入金処理を繰返し行わなければならず、またどうしても入金することができない紙幣等は別の保管庫へ収納して保管しなければならなかった。
【０００８】
そのため紙幣の入金中にリジェクト紙幣が発生した場合には入金処理に著しく手間どることになり、次の顧客の精算処理に移ることができず、迅速な精算処理を妨げてレジが混雑する原因となっている。
【０００９】
また、入金することができない紙幣を別の保管庫に収納して保管するようにする場合は、その保管庫を別途管理しなければならず、レジ係員の負担が増すという問題があった。
【００１０】
そこで入金リジェクト貨幣を返却せずに機内に収納保管するようにしたところ、前述の精算処理時の渋滞やレジ係員の負担増といった問題点が解消されることに想到した。
【００１１】
しかし上記の構成を採用すると、業務の開始時や貨幣が不足した場合に貨幣を入金口から補充するとき、２枚重ね繰出しや斜行繰出し、連鎖繰出し等の繰出し不良の要因により補充すべき貨幣が正常貨幣収納部へは補充されずに繰出しのできないリジェクト貨幣収納部に収納保管されてしまい、その結果補充貨幣を活用することができなくなって資金運用が悪くなるという新たな問題点が発生した。
【００１２】
【課題を解決するための手段】
本発明は、通常処理時には入金リジェクト貨幣も機内に取り込むようにして、迅速な精算処理を可能とし、補充時にはリジェクト貨幣を返却して再補充操作を行えるようにして有効な資金運用を可能とすることを課題としてなされたもので、その解決手段として本発明では、入金口に投入された貨幣を１枚ずつ繰込んで正常貨幣か否かを判別し、正常と判別された貨幣についてはその金種を識別し、複数の収納部へ分類収納するとともに、少なくとも一つの収納部から貨幣を繰出して正常に繰出された貨幣のみを出金口へ投出するようにした貨幣入出金機において、正常貨幣を収納する複数の正常貨幣収納部と、レジ係員によって確認済みであるにも拘わらず金種を識別できなかった貨幣を収納するリジェクト貨幣収納部と、通常の入出金処理を行う通常モードと前記正常貨幣収納部へ貨幣を補充する補充モードとを切換えるモード切換え手段と、前記通常モード時に機能し前記入金口に投入された貨幣のうちの正常貨幣を前記正常貨幣収納部へ収納し、レジ係員によって確認済みであるにも拘わらず金種を識別できなかった貨幣を前記リジェクト貨幣収納部へ収納するよう制御する入金制御部と、前記補充モード時に機能し前記入金口に投入された貨幣のうちの正常貨幣を前記正常貨幣収納部へ収納し、金種を識別できなかった貨幣を前記出金口へ返却するよう制御する補充制御部と、を具備せしめたことにある。
【００１３】
前記通常モード時に機能し正常貨幣収納部から正常に繰出された貨幣を出金口へ投出し、正常に繰出されなかった貨幣を前記リジェクト貨幣収納部へ収納させる出金制御部を有する構成としたことを請求項２とするものである。
【００１４】
【発明の実施の形態】
以下、本発明を図面に示す実施の形態を参照して説明する。
【００１５】
図１（Ａ）は本発明の一実施形態の外観を示すもので、この実施形態では、レジ台１の一側に紙幣入出金機２が、他側の上部位置に硬貨入出金機３が配置され、レジ台１の上面にはＰＯＳレジスタ４が配置されるようになっていて、スーパーマーケット等の販売店のレジ精算所において使用する形態とした場合を示している。
【００１６】
上記紙幣入出金機２は、機体２Ａに対し前面側に引出し可能とされる処理ユニット２Ｂを有し、その上部前側に位置して開口する紙幣入金口５と、その直下位置に開口する紙幣出金口６と、テンキータイプの操作部７と、その表示部８と、紙幣入出金機２の前扉９の開閉および後述するモード切換え手段１０のキー挿入孔１０２とが外部に露出して配置されている。
【００１７】
上記硬貨入出金機３は、その機体の上部前側に位置して開口する硬貨入金口１１、および硬貨出金口１２を有しており、またＰＯＳレジスタ４は、周知のように操作キー１３群、係員用表示部１４、顧客用表示部１５、顧客から受取った現金を顧客に見える位置に一時的に置いておく貨幣載置部１６、レシート発行口１７等を有している。
【００１８】
上記紙幣入金口５の直近上部位置には、図１（Ｂ）に当該部分を拡大して示すようにモード表示部１００が設けられており、例えば「通常モード」時は青、「補充モード」時は赤で表示されるようになっている。またその近傍には金種別ニアエンプティ表示部１０１が設けられており、機内の紙幣の保有量を目安として示すようになっている。
【００１９】
図２は、本発明における紙幣入出金機２の縦断側面視の概要図を示すもので、前記紙幣入金口５に続いて入金紙幣を水平方向に搬送するベルト１８およびローラ１９，１９（上部のローラは逆転ローラ）からなる搬送路２０が配設され、ベルト１８の上部位置には紙幣の上面を押えて浮き上がりを防止するための自重垂下型の押え板２１が後方に向け下り傾斜姿勢にして枢支されている。上記のベルト１８およびローラ１９，１９により繰込み手段を構成している。
【００２０】
前記搬送路２０の後端に続いて入金紙幣の金種、正損等を識別する入金識別部２２を有する識別搬送路２３が側面視コ字状を画くようにベルト２４，２５が掛け廻されて形成されており、この識別搬送路２３の末端は処理ユニット２Ｂの前後方向中ほどの位置まで折返されて延び、垂直方向に変換されたベルト２４，２５による垂直搬送路２６に続いている。
【００２１】
この垂直搬送路２６の上端位置のベルト２７は前記出金口６の近くのプーリー２８に巻回されて折返えされ、出金紙幣の投出機構３０の一部を構成している。
【００２２】
上記投出機構３０の直下位置にはリジェクト紙幣収納部であるリジェクトボックス３１が、さらにその下方位置には収納スタッカ３２が配置され、前記垂直搬送路２６を間にして他側（処理ユニット２Ｂの奥側）には第１，第２の２つの還流スタッカ３３，３４が上下に位置されている。
【００２３】
また垂直搬送路２６の途中部には、前記投出機構３０へ紙幣を分岐搬送するための分岐手段としての分岐爪３５、リジェクトボックス３１への分岐爪３６、収納スタッカ３２への分岐爪３７、上部の還流スタッカ３３への分岐爪３８がそれぞれ設けられ、収納スタッカ３２への分岐爪３７と上部の還流スタッカ３３への分岐爪３８との間の垂直搬送路２６には出金紙幣の金種等を識別する出金識別部３９が配設されている。
【００２４】
これら入金口５、出金口６、搬送路２０，２６を構成するベルト群、リジェクトボックス３１、収納スタッカ３２、第１，第２還流スタッカ３３，３４等は、前述の貨幣処理ユニット２Ｂとして機体２Ａの内側に設けられた上下のガイドレール２ａ，２ｂにそって機体２Ａに対し図３のように引出し可能に構成されている。
【００２５】
前記投出機構３０は、前記ベルト２７の直下位置に受板４０が前後方向中央位置において支持アーム４１の先端に枢支して設けられ、この支持アーム４１の基部はユニット側に枢支されて図示しない駆動手段（例えばソレノイド等）により紙幣投出時に上昇するよう構成されており、この受板４０の前後位置に周面の一部が受板４０の上面から突出するように軸着されたローラ４２，４２と前記ベルト２７の下面との間に紙幣を挟持したとき該ベルト２７の駆動により紙幣が出金口６から投出されるようになっている。この受板４０上が出金保留部３０Ａを構成する。
【００２６】
なお図２中符号４３は上記受板４０上へ送入される紙幣の後端をはたき落して受板４０上に紙幣を良好に集積させるための羽根車であり、また４４は受板４０の端部に受板４０の上面との間に所要の間隔をおいて一体に設けられた規制部で、受板４０の上昇時（紙幣投出時）に処理ユニット２Ｂの出金口６に正対する出口を構成し、紙幣の先端が浮き上がることを規制するものである。
【００２７】
前記リジェクトボックス３１および収納スタッカ３２は、上面が開放されたトレイ状の収納カセットとされ、いずれも前扉９を開けることにより処理ユニット２Ｂ外に引出せるようになっている。なお収納スタッカ３２の開口部には略示するシャッタ２９が設けられており、引出し時にはこのシャッタ２９が閉じられて金庫となるようになっている。図２中符号３２ａは収納スタッカ３２のロック手段、３１ａは、リジェクトボックス３１へ送入される紙幣の後端をはたき落して良好な集積状態とするための羽根車であり、また４６は収納スタッカ３２へ放出される紙幣の先端を羽根間に受入れて順次下方へ集積させるための羽根車である。
【００２８】
前記還流スタッカ３３，３４は、図示の例では上部の還流スタッカ３３が千円紙幣用、下部の還流スタッカ３４が５千円紙幣と、所定枚数（例えば５枚）の両替用としての１万円紙幣が収納されるもので、各還流スタッカ３３，３４は紙幣を巻込んで収納する構造のものが用いられており、その構造自体は公知に属するのでその構成について簡単に説明する。
【００２９】
上下の還流スタッカ３３，３４は同じ構成を有するので上部のものについて説明すると、機枠４７内に正逆回転自在で周面に紙幣が巻付けられる単一の回転ドラム４８が軸支され、この回転ドラム４８の周縁に２種のテープ４９，５０が共に巻付けられ、これらテープ４９，５０の一方のテープ４９は機枠４７の紙幣出入口５１の上部に位置するプーリー５２、中間プーリー５３，５４を経由して巻取軸５５に巻付けられ、他方のテープ５０は前記紙幣出入口５１の下部に位置するプーリー５６、中間プーリー５７を経由して巻取軸５８に巻き付けられている。
【００３０】
したがって紙幣を収納するときは、回転ドラム４８が正転駆動（図２において矢印イ方向）して紙幣出入口５１から送入される紙幣をテープ４９，５０間に挟み込み、回転ドラム４８の周面に順次巻付けて収納し、紙幣を出金するときは、回転ドラム４８が逆転駆動（図２において矢印ロ方向）してテープ４９，５０間に挟持されていた紙幣をプーリー５２，５６間から紙幣出入口５１へ送出するようになっている。
【００３１】
なお下部の還流スタッカ３４も同一構成であるから、上記の還流スタッカ３３と同一符号を付しておく。また図３において４７ａは上記第１，第２還流スタッカ３３，３４の側部を開閉するための扉を示し、ロック手段４７ｂによってロックされるようになっている。このロック手段４７ｂを解除するためのキーは、通常現金管理者が所有し、レジ係員は所有していない。
【００３２】
上記各部の駆動は、機体内のモータＭにより行われ、還流スタッカ３３，３４の回転ドラム４８，４８は収納または繰出し時に図示しないクラッチの離接により前記モータＭからの回転伝達を受けるようになされている。
【００３３】
またリジェクトボックス３１についてはそれ専用の鍵５９が設けられおり、この鍵５９を開けない限り引出し不能とされている。
【００３４】
前記投出機構３０への入口部、リジェクトボックス３１への入口部、収納スタッカ３２への入口部、還流スタッカ３３，３４への出入口部にはそれぞれ紙幣の通過を検知するための検知手段としてのセンサＳ１  ，Ｓ２  ，Ｓ３  ，Ｓ４  ，Ｓ５  （フォトセンサ）が配設されている。
【００３５】
処理ユニット２Ｂの出金口６の図において右側には前述のモード切換え手段１０が設けられている。このモード切換え手段１０は、操作者のキー操作により切換えられるもので、オペレーションポジション１０３、メンテナンスポジション１０４、管理ポジション１０５、補充ポジション１０６があり、キー挿入孔１０２にキーを挿入して上記各ポジションに切換えるようになっている。
【００３６】
上記オペレーションポジション１０３は、通常の営業時間中に使用するポジションであり、メンテナンスポジション１０４は、エラー時等に内部のユニットを引出す際のポジションであり、管理ポジション１０５は、閉店時に紙幣を回収する場合など管理者が操作する際のポジションであり、さらに補充ポジション１０６は、始業前やエンプティ時等に紙幣を補充する際のポジションである。このモード時には、前記モード表示１００が例えば赤色表示に変って補充モード運転中であることが示される。
【００３７】
前記各部の動作を制御する制御部６０は、図５にその内容の一例を示すように、入金制御部６１、補充制御部６２、出金制御部６３を持ち、還流スタッカ３３，３４の駆動手段、収納スタッカ３２の羽根車４６の駆動手段が各センサからの信号入力によって制御される。
【００３８】
このほか、処理ユニット２Ｂ内の搬送手段２０，２３，２６、分岐手段（分岐爪）３５，３６，３７，３８、分岐手段の動作タイミング用の通過検知手段６４、記憶手段６５、前述のモード切換手段１０、リジェクトボックス３１への通過検知、入金識別部２２、出金識別部３９の制御が行われる。
【００３９】
そして硬貨での釣銭を要するときは、その釣銭用硬貨の投出指令が硬貨入出金機３へ出力される。
【００４０】
次に上記実施の形態の作用について説明する。
【００４１】
通常の入金処理および出金処理の場合は、モード切換え手段１０をオペレーションポジション１０３にセットする。これにより制御部６０は「通常モード」となり、モード表示部１００は「通常モード」を示す青色表示となる。
〔出金の場合〕
ＰＯＳレジスタ４から釣銭の投出指令があると、千円紙幣を要するときは上部の還流スタッカ３３から、５千円紙幣が含まれる場合は下部の還流スタッカ３４からそれぞれ出金される。いずれも還流スタッカ３３，３４から出た紙幣は垂直搬送路２６により上方へ送られ、分岐爪３５により投出機構３０の受板４０上の出金保留部３０Ａへ送り込まれて集積保留される。
【００４２】
所定金額の紙幣が集積されると、受板４０が上昇し、受板４０上の紙幣の上面がベルト２７に押しつけられ、このベルト２７の矢印方向の回動により出金口６から投出させる。
〔入金の場合〕
図６に示すフローチャートを参照すると、入金時も「通常モード」に設定されており（ステップＳ１）、入金口５に入金しようとする紙幣を一括投入すれば（ステップＳ２）、繰込み手段であるベルト１８、ローラ１９，１９により紙幣が１枚ずつ繰込まれ（ステップＳ３）、入金識別部２２により正常か否かが判断され（ステップＳ４）、正常と判断された紙幣はその金種の識別（ステップＳ５）によって万円紙幣は一旦下部の還流スタッカ３４へ送り込まれたのち繰出され、分岐爪３７が切換って収納スタッカ３２へ送り込まれ、千円紙幣であれば上部の還流スタッカ３３への分岐爪３８が切換ってそのスタッカ３３へ送り込まれ、５千円紙幣であれば垂直搬送路２６の末端から下部の還流スタッカ３４へ送り込まれる。各還流スタッカ３３，３４では、回転ドラム４８が正転し、テープ４９，５０間に紙幣が挟まれて回転ドラム４８に巻付けられ、収納される。
【００４３】
このとき第１還流スタッカ３３が満杯か否かが判断され（ステップＳ６）、満杯であれば各還流スタッカ３３，３４へ送り込まれたのち繰出されて収納スタッカ３２へ送られる。５千円紙幣についても第２還流スタッカ３４が満杯か否かの判断（ステップＳ７）がなされ、満杯であれば千円紙幣の場合と同様にして収納スタッカ３２へ送られる。
【００４４】
前記入金識別部２２において正常と判断されなかった紙幣であるときは、補充モードか否かの判断（ステップＳ８）が行われ、補充モードではないのでリジェクトボックス３１へ送られる。
【００４５】
最後に入金口５の紙幣の存否が判断され（ステップＳ９）、無ければ終了となり、有の場合はステップＳ３に戻り、紙幣の繰込みがなされる。
〔補充の場合〕
始業に先立っての紙幣の補充、または機内の出金可能なスタッカ（第１、第２還流スタッカ３３，３４）がエンプティに近くなったとき処理ユニット２Ｂの前面上部にある金種別ニアエンプティ表示部１００がエンプティ表示され、これらのとき現金管理者はその指示にしたがって不足紙幣の補充を行う。
【００４６】
この補充時には、モード切換え手段１０のキー挿入孔１０２にキーを挿入して補充ポジション１０６にセットする（ステップＳ１）。これにより制御部６０は補充モードとなり、モード表示部１００は「補充モード」であることを示す赤色表示に変わる。
【００４７】
この補充時には、前記入金時と同様にして入金口５に投入された紙幣が１枚ずつ繰込まれ、正常か否かが識別（ステップＳ４）されたのち、正常と判断されなかった紙幣であるときは、補充モードか否かの判断（ステップＳ８）が行われ、補充モードであるので分岐爪３５が出金側へ切換って出金口６へ返却される。
【００４８】
したがって出金口６に返却された紙幣を係員が確認し、斜行等が原因で正常と判別されなかったと思われるときは再補充操作を行い、損券であるために正常と判別されなかったと思われるときは補充紙幣から外し、別途管理する。
【００４９】
補充がすべて完了したのちは、モード切換え手段１０をオペレーションポジション１０３に戻し、「通常モード」として操業する。このときモード表示部１００は青の表示に換り、通常モード運転であることが示される。
【００５０】
なお閉店時等、機内の紙幣を回収する場合など、現金管理者が操作する場合には、モード切換え手段１０を管理モードに切換えることにより還流スタッカ３３，３４内の紙幣を収納スタッカ３２へ収納して回収する。またエラー時等、内部の点検を要するときは、モード切換え手段１０をメンテナンスポジション１０４に切換えることにより処理ユニット２Ｂを引出して処理ユニット２Ｂ内の点検を行う。このときには、処理ユニット２Ｂ内の紙幣の収納スタッカ３２はシャッタ２９で閉鎖され、扉４７ａはロックされていて内部の紙幣に手を触れることはできない。
【００５１】
【発明の効果】
以上説明したように本発明によれば、通常モード時には入金識別部において正常と判断された貨幣は出金口へ戻すことなくリジェクト貨幣収納部へ取込むので、レジ精算業務に渋滞を生じることなく迅速な処理ができ、また補充時には正常と判断されなかった貨幣は出金口へ戻されるので、リジェクト貨幣収納部に死蔵されることがなく、資金の運用効率を高めることができる貨幣入出金機を提供することができる。
【図面の簡単な説明】
【図１】（Ａ）は、本発明の一実施形態を示す外観斜視図、（Ｂ）は同一部の拡大平面図。
【図２】図１における紙幣入出金機の略示断面図。
【図３】同、処理ユニットを引出した状態時の略示断面図。
【図４】モード切換え手段の正面図。
【図５】制御ブロック図。
【図６】フローチャート。
【図７】従来の技術を示す略示断面図。
【符号の説明】
１  レジ台
２  紙幣入出金機
２Ａ  機体
２Ｂ  貨幣処理ユニット
３  硬貨入出金機
４  ＰＯＳレジスタ
５  紙幣入金口
６  紙幣出金口
９  前扉
１０  モード切換え手段
２２  入金識別部
２３  識別搬送路
２６  垂直搬送路
３０  投出機構
３０Ａ  出金保留部
３１  リジェクト紙幣収納部としてのリジェクトボックス
３２  収納スタッカ
３３，３４  還流スタッカ
３５，３６，３７，３８  分岐爪
３９  出金識別部
６０  制御部
６１  入金制御部
６２  補充制御部
６３  出金制御部
１００  モード表示部
１０１  ニアエンプティ表示部
１０２  キー挿入孔
【図１】
0003578870.tif 000002
【図２】
0003578870.tif 000003
【図３】
0003578870.tif 000004
【図４】
0003578870.tif 000005
【図５】
0003578870.tif 000006
【図６】
0003578870.tif 000007
【図７】
0003578870.tif 000008